(57)【要約】      （修正有）【課題】帽子のつばの横幅の長さ（広狭）に対応して、フック体を調節して帽子のつばに掛止でき、眼鏡枠（レンズ）を上下動する時に、フック体が帽子のつばからズレたり脱落したりするのを防止でき、レンズをレンズ枠に簡単に着脱自在に結合でき、さらに新品のレンズや異種類のレンズをレンズ枠に簡単に取り替えできる眼鏡を提供する。【解決手段】フック部３２の断面が略Ｕ字状部には帽子のつばに掛止する突起等を形成する。レンズ枠１０の下面に形成した嵌合溝には、該嵌合溝に交差する突部を間隔をおいて複数個設けると共に、前記嵌合溝に嵌挿されるレンズ６０の上端部には切欠き部が複数個形成されており、前記レンズ枠１０の突部にレンズ６０の切欠き部を係合することにより、レンズ６０がレンズ枠１０に結合されるようにして、帽子のつばに掛止する眼鏡枠を用いた眼鏡を形成する。【選択図】図９
0003165745.tif 000002
【実用新案登録請求の範囲】
【請求項１】
下面の長手方向にレンズを嵌挿する嵌合溝を有すると共に、上面の両端近くに上向きの立上り片を突設した横長のレンズ枠と、前記立上り片に外向きに横設した球関節継手と、この球関節継手に連結したフック体とを備え、前記フック体は、球関節継手に嵌脱自在かつ回動自在に接続されるフック基部と、該フック基部の他端部に伸縮可能に連結されると共に、帽子のつばに掛止されるフック部とを有する、帽子のつばに掛止する眼鏡枠であって、
前記フック部は、一端部に形成した摺動子を、前記フック基部の他端部に形成したバネ収納室に出入自在に収納すると共に、前記バネ収納室に内蔵したバネにより伸縮可能としてあると共に、該フック部の断面が略Ｕ字状部には帽子のつばに掛止する突起を形成してあることを特徴とする帽子のつばに掛止する眼鏡枠。
【請求項２】
下面の長手方向にレンズを嵌挿する嵌合溝を有すると共に、上面の両端近くに上向きの立上り片を突設した横長のレンズ枠と、前記立上り片に外向きに横設した球関節継手と、この球関節継手に連結したフック体とを備え、前記フック体は、球関節継手に嵌脱自在かつ回動自在に接続されるフック基部と、該フック基部の他端部に伸縮可能に連結されると共に、帽子のつばに掛止されるフック部とを有する、帽子のつばに掛止する眼鏡枠であり、前記フック部は、一端部に形成した摺動子を、前記フック基部の他端部に形成したバネ収納室に出入自在に収納すると共に、前記バネ収納室に内蔵したバネにより伸縮可能としてあると共に、該フック部の断面が略Ｕ字状部には帽子のつばに掛止する突起を形成してある帽子のつばに掛止する眼鏡枠であって、
前記レンズ枠の下面に形成した嵌合溝には、該嵌合溝に交差する突部を間隔をおいて複数個設けると共に、前記嵌合溝に嵌挿されるレンズの上端部には切欠き部が複数個形成されており、前記レンズ枠の突部にレンズの切欠き部を係合することにより、レンズがレンズ枠に結合されるようにしてあることを特徴とする、帽子のつばに掛止する眼鏡枠を用いた眼鏡。
【請求項３】
前記レンズ枠に設けた前記突部は、嵌合溝の左右端部と中央部とに配設すると共に、レンズの切欠き部は上記各突部に対向する位置に形成してあることを特徴とする請求項２に記載の帽子のつばに掛止する眼鏡枠を用いた眼鏡。
【考案の詳細な説明】
【技術分野】
【０００１】
本考案は、帽子のつばに掛止する眼鏡用の眼鏡枠に関し、また、この眼鏡枠のレンズ枠の下部に所望のレンズを結合して眼鏡とし、この眼鏡の眼鏡枠を帽子のつばに掛止して使用される眼鏡に関するものである。
【背景技術】
【０００２】
この種の帽子のつばに掛止する眼鏡枠としては、最近、インターネット広告により、下面の長手方向にレンズを嵌挿する嵌合溝を有すると共に、該嵌合溝にレンズを嵌挿して、長手方向の両端部位置で前記レンズをビス止めしたレンズ枠と、このレンズ枠の両端部に、ギアを介して前後方向に回動自在に設けたフック体とを備えており、レンズ枠に嵌装したレンズが前記ギアを回動中心として前後方向に回動できるようにしたレンズ付きの眼鏡枠が知られている（非特許文献１参照）。
【０００３】
この非特許文献１の眼鏡枠のものによれば、帽子のつばに掛ける眼鏡枠であるので、耳や鼻への圧迫感がなく、またギアを設けているので、レンズの前後方向への回動ができる上に、通常の眼鏡の上からも使用できる利点がある。
【先行技術文献】
【非特許文献】
【０００４】
【非特許文献１】韓国製のサングラスと帽子が一体型のインターネット広告製品（２０１０年５月）。
【考案の概要】
【考案が解決しようとする課題】
【０００５】
しかしながら、上記非特許文献１の眼鏡枠のものは、（ａ）眼鏡枠のフック体は伸縮しないので、帽子のつばの横幅の長さが長すぎたり又は短かすぎたりする帽子には、その眼鏡枠を掛止することができなかった。つまり、帽子のつばの横幅の広狭に合わせてフック体を調節することができなかった。（ｂ）また、前記フック体は帽子のつばに掛止するだけであるため、眼鏡枠（レンズ）を上下動する時に、フック体が帽子のつばからズレることがあった。
【０００６】
（ｃ）さらに、レンズはレンズ枠にビス止めして固定するものであるので、そのビスが必要であるばかりか、ビス止め作業を要し、レンズ取付作業効率が悪かった。（ｄ）また、眼鏡使用中に前記ビス止め部でレンズが損傷・破損する虞れがあるとともに、（ｅ）その場合に、新しいレンズに取り替えすることができないばかりか、異種類のレンズと取り替えることもできないという問題があった。
【０００７】
本考案は、上記従来の（ａ）〜（ｅ）の問題を解消するために案出したものであって、帽子のつばの横幅の長さ（広狭）に対応して、フック体を調節して帽子のつばに掛止でき、また、眼鏡枠（レンズ）を上下動する時に、フック体が帽子のつばからズレたり脱落したりするのを防止できる帽子のつばに掛止する眼鏡枠を提供することを第１の目的とする。
【０００８】
また、本考案は、レンズ枠にレンズを結合するのに、上記従来例のように、ビス止めすることなく、レンズ枠の突部にレンズの切欠き部を係合するだけで着脱自在としているため、前記ビスが不要であると共に、ビス止め作業が不要で、レンズをレンズ枠に簡単に着脱自在に結合できるし、従来例の如くレンズの損傷・破損がなく、さらに、新品のレンズや異種類のレンズをレンズ枠に簡単に取り替えできる、帽子のつばに掛止する眼鏡枠を用いた眼鏡を提供することを第２の目的とする。
【課題を解決するための手段】
【０００９】
本考案の請求項１の帽子のつばに掛止する眼鏡枠は、下面の長手方向にレンズを嵌挿する嵌合溝を有すると共に、上面の両端近くに上向きの立上り片を突設した横長のレンズ枠と、前記立上り片に外向きに横設した球関節継手と、この球関節継手に連結したフック体とを備え、前記フック体は、球関節継手に嵌脱自在かつ回動自在に接続されるフック基部と、該フック基部の他端部に伸縮可能に連結されると共に、帽子のつばに掛止されるフック部とを有する、帽子のつばに掛止する眼鏡枠であって、
前記フック部は、一端部に形成した摺動子を、前記フック基部の他端部に形成したバネ収納室に出入自在に収納すると共に、前記バネ収納室に内蔵したバネにより伸縮可能としてあると共に、該フック部の断面が略Ｕ字状部には帽子のつばに掛止する突起を形成してあることを特徴とする。
【００１０】
請求項２の帽子のつばに掛止する眼鏡枠を用いた眼鏡は、下面の長手方向にレンズを嵌挿する嵌合溝を有すると共に、上面の両端近くに上向きの立上り片を突設した横長のレンズ枠と、前記立上り片に外向きに横設した球関節継手と、この球関節継手に連結したフック体とを備え、前記フック体は、球関節継手に嵌脱自在かつ回動自在に接続されるフック基部と、該フック基部の他端部に伸縮可能に連結されると共に、帽子のつばに掛止されるフック部とを有する、帽子のつばに掛止する眼鏡枠であり、前記フック部は、一端部に形成した摺動子を、前記フック基部の他端部に形成したバネ収納室に出入自在に収納すると共に、前記バネ収納室に内蔵したバネにより伸縮可能としてあると共に、該フック部の断面が略Ｕ字状部には帽子のつばに掛止する突起を形成してある帽子のつばに掛止する眼鏡枠であって、
前記レンズ枠の下面に形成した嵌合溝には、該嵌合溝に交差する突部を間隔をおいて複数個設けると共に、前記嵌合溝に嵌挿されるレンズの上端部には切欠き部が複数個形成されており、前記レンズ枠の突部にレンズの切欠き部を係合することにより、レンズがレンズ枠に結合されるようにしてあることを特徴とする。
【００１１】
請求項３の帽子のつばに掛止する眼鏡枠を用いた眼鏡は、請求項２において、前記レンズ枠に設けた前記突部は、嵌合溝の左右端部と中央部とに配設すると共に、レンズの切欠き部は上記各突部に対向する位置に形成してあることを特徴とする。
【考案の効果】
【００１２】
本考案の請求項１の帽子のつばに掛止する眼鏡枠によれば、下面の長手方向にレンズを嵌挿する嵌合溝を有すると共に、上面の両端近くに上向きの立上り片を突設した横長のレンズ枠と、前記立上り片に外向きに横設した球関節継手と、この球関節継手に連結したフック体とを備え、前記フック体は、球関節継手に嵌脱自在かつ回動自在に接続されるフック基部と、該フック基部の他端部に伸縮可能に連結されると共に、帽子のつばに掛止されるフック部とを有する、帽子のつばに掛止する眼鏡枠であって、
前記フック部は、一端部に形成した摺動子を、前記フック基部の他端部に形成したバネ収納室に出入自在に収納すると共に、前記バネ収納室に内蔵したバネにより伸縮可能としてあるから、帽子のつばの横幅の長さ（広狭）に対応して、フック体のフック部を伸縮して調整することにより、フック体を帽子のつばに簡単に掛止できる。
【００１３】
また、前記フック部の断面が略Ｕ字状部には帽子のつばに掛止する突起を形成してあることから、眼鏡枠（レンズ）を上下動する時に、フック体が帽子のつばからズレたり脱落したりするのを防止できる。
【００１４】
請求項２の帽子のつばに掛止する眼鏡枠を用いた眼鏡によれば、下面の長手方向にレンズを嵌挿する嵌合溝を有すると共に、上面の両端近くに上向きの立上り片を突設した横長のレンズ枠と、前記立上り片に外向きに横設した球関節継手と、この球関節継手に連結したフック体とを備え、前記フック体は、球関節継手に嵌脱自在かつ回動自在に接続されるフック基部と、該フック基部の他端部に伸縮可能に連結されると共に、帽子のつばに掛止されるフック部とを有する、帽子のつばに掛止する眼鏡枠であり、前記フック部は、一端部に形成した摺動子を、前記フック基部の他端部に形成したバネ収納室に出入自在に収納すると共に、前記バネ収納室に内蔵したバネにより伸縮可能としてあると共に、該フック部の断面が略Ｕ字状部には帽子のつばに掛止する突起を形成してある帽子のつばに掛止する眼鏡枠であって、
前記レンズ枠の下面に形成した嵌合溝には、該嵌合溝に交差する突部を間隔をおいて複数個設けると共に、前記嵌合溝に嵌挿されるレンズの上端部には切欠き部が複数個形成されており、前記レンズ枠の突部にレンズの切欠き部を係合することにより、レンズがレンズ枠に結合されるようにしてあるから、前記従来例のように、ビス止めすることもなく、レンズ枠の突部にレンズの切欠き部を係合するだけで着脱自在としているため、前記ビスが不要であると共に、ビス止め作業が不要で、レンズをレンズ枠に簡単に着脱自在に結合できるし、従来例の如くレンズの損傷・破損がなく、さらに、新品のレンズや異種類のレンズをレンズ枠に簡単に取り替えできる顕著な効果を有する。
【００１５】
請求項３の帽子のつばに掛止する眼鏡枠を用いた眼鏡によれば、前記レンズ枠に設けた前記突部は、嵌合溝の左右端部と中央部とに配設すると共に、レンズの切欠き部は上記各突部に対向する位置に形成してあるから、請求項２の上記効果が確実に実現できる。
【図面の簡単な説明】
【００１６】
【図１】本考案に係る帽子のつばに掛止する眼鏡枠の一実施例の正面図である。
【図２】図１の平面図である。
【図３】図１の底面図である。
【図４】図１のＡ−Ｂ線に沿って切断した拡大端面図である。
【図５】図４でフック部を外方へ引っ張った状態の拡大端面図である。
【図６】図４で、立上り片を省略して示した分解斜視図である。
【図７】本考案に係る帽子のつばに掛止する眼鏡枠にレンズを組み付ける状態を示した分解斜視図である。
【図８】図７の状態からレンズを眼鏡枠に組み付けた（結合した）状態の斜視図である。
【図９】図８で示したレンズ付きの眼鏡枠を帽子のつばに掛止した使用状態を示した斜視図である。
【図１０】顔を被覆する大きさのレンズを用いた眼鏡を帽子のつばに掛止した状態の変形例１の斜視図である。
【図１１】図１０のレンズを上方へ跳ね上げた状態を示した斜視図である。
【図１２】レンズを上レンズと下レンズの２枚でスライド式にした場合の変形例２の斜視図である。
【図１３】図１２のレンズを上方へ跳ね上げた使用状態を示した斜視図である。
【考案を実施するための形態】
【００１７】
本考案の好ましい実施形態を図１〜図８に基づいて以下に説明する。
本考案に係る帽子のつばに掛止する眼鏡枠１は、下面の長手方向にレンズ６０を嵌挿する嵌合溝１１を有すると共に、上面の両端近くに上向きの立上り片１２を突設した横長で円弧状のレンズ枠１０と、前記立上り片１２に外向きに横設した球関節継手２０と、この球関節継手２０に連結したフック体３０とからなっている。
【００１８】
前記球関節継手２０は、図４及び図５に示すように、立上り片１２に外向きに一体形成したものであって、軸部２１と球状部２２とからなっている。
【００１９】
フック体３０は、球関節継手２０に嵌脱自在かつ回動自在に接続されるフック基部３１と、該フック基部３１の他端部に伸縮可能に連結されると共に、帽子のつばに掛止されるフック部３２とを有している。
【００２０】
前記フック部３２は、一端部に形成した摺動子３３を、前記フック基部３１の他端部に形成したバネ収納室３４に出入自在に収納すると共に、前記バネ収納室３４に内蔵したバネ３５により伸縮可能としてある。また、該フック部３２の断面が略Ｕ字状部３６には帽子のつばに掛止する波形状の突起３７、３８が上下両部に形成してある。
【００２１】
また、本考案は、前記の眼鏡枠１を備え、図７及び図８に示すように、前記レンズ枠１０の下面に形成した嵌合溝１１には、該嵌合溝１１に交差する突部１３を間隔をおいて複数個設けると共に、前記嵌合溝１１に嵌挿されるレンズ６０の上端部には切欠き部６１が複数個形成されており、前記レンズ枠１０の突部１３にレンズ６０の切欠き部６１を係合することにより、レンズ６０がレンズ枠１０に結合されるようにしてあることを特徴とする、帽子のつばに掛止する眼鏡枠を用いた眼鏡を提供する。
【００２２】
前記レンズ枠１０に設けた突部１３と、レンズ６０の切欠き部６１との個数や形成位置や形状は問わないが、前記レンズ枠１０に設けた前記突部１３は、嵌合溝１１の左右端部と中央部とに配設すると共に、レンズ６０の切欠き部６１は上記各突部１３に対向する位置に形成してあるのが好ましい。レンズ６０がレンズ枠１０に安定かつ強固な状態で結合されるからである。
【００２３】
前述した実施の形態の詳細は、以下に詳しく説明する実施例１を参照するとよい。
【実施例１】
【００２４】
本考案に係る帽子のつばに掛止する眼鏡枠の実施例１を図１〜図６に基づいて以下に説明する。
本考案の眼鏡枠１は、前述したように、レンズ枠１０と球関節継手２０とフック体３０との構成部材からなるもので、いずれも合成樹脂で形成されている。勿論、これらの構成部材を金属で製造することができるが、軽くて、加工性が良く、安価である等の理由で、合成樹脂製の方が好ましい。
【００２５】
レンズ枠１０は、略弓形の円弧状に形成され、該レンズ枠１０の中央部の上面は少し窪ませるとともに、下面は少し下方に膨出した垂下壁としている。このレンズ枠１０の下面の長手方向には、レンズ６０の上部を嵌挿する嵌合溝１１が形成されており、この嵌合溝１１の左端部と右端部と中央部とには、該嵌合溝１１に交差するように突部１３、１３、１３を配設している。
【００２６】
また、レンズ枠１０の上面の左端部及び右端部の近くには、上向きの立上り片１２、１２一対をそれぞれ一体に突出している。そして、両立上り片１２、１２の外側には、軸部２１と球状部２２とからなる球関節継手２０を横向きに一体に形成している。
【００２７】
前記球関節継手２０に連結したフック体３０は、前述したように、フック基部３１とフック部３２とからなるものである。
フック基部３１は、一端部には、平面視において断面円形状の貫通孔３１ａを穿設すると共に、該貫通孔３１ａに連通する嵌合孔３１ｂを横設している。それゆえ、フック基部３１を押圧することにより、貫通孔３１ａの下部から前記球関節継手２０の球状部２２を嵌入することができるし、又は、フック基部３１（フック体３０）を外方から内方へ略水平状態で押圧することにより、前記球状部２２を嵌合孔３１ｂを介して貫通孔３１ａ内に嵌入することができる。つまり、前記フック基部３１の貫通孔３１ａの下部と嵌合孔３１ｂの出入部とは、合成樹脂の弾性により拡開収縮できるものであるから、フック基部３１が球状部２２を容易に嵌入して両者が結合されると共に、該フック基部３１を球状部２２から容易に取り外すことができる。従って、フック基部３１（フック体３０）は球関節継手２０（球状部２２）に嵌脱自在に接続されると共に、前記貫通孔３１ａと球状部２２が共に円形ないし球状であるので、球状部２２（球関節継手２０）に対してフック基部３１（フック体３０）を３６０°回動可能である。
【００２８】
また、フック基部３１の他端部には長手方向にバネ収納室３４が形成され、このバネ収納室３４にフック部３２の摺動子３３が出入自在に収納できるようにしてある。すなわち、前記バネ収納室３４にはコイルバネ等のバネ３５を収納し、該摺動子３３の一端部を連結板３９にネジ４０で固定すると共に、該摺動子３３に前記バネ３５を巻装してあり、フック部３２は常時にはバネ３５の付勢力によりフック基部３１の他端面と当接するようにしてあり（図４参照）、一方、フック部３２を前記バネ３５の付勢力に抗して外方へ引っ張れば、該フック部３２が外方へ突出される（図５参照）ようにしてある。このように、フック部３２が伸縮可能としてあることにより、該フック部３２が帽子のつばの横幅の長短に対応して掛止できる。しかも、フック体３０は球関節継手２０に対して回動自在としてあるから、帽子のつばの上下方向などのあらゆる傾斜角度にも対応してフック部３２を掛止することができる。
【００２９】
さらに、フック部３２は、図４〜図６に示されているように、断面が略Ｕ字状のＵ字状部３６としてあり、このＵ字状部３６の上下の内壁面に波形状の突起３７、３８が一体に形成してある。この突起３７、３８を帽子のつばに掛止することにより、前述の如く、眼鏡枠（眼鏡）を上下動する時に、フック体が帽子のつばからズレたり脱落したりすることがない。
【００３０】
ところで、実際に眼鏡として使用する場合には、前述のように構成された眼鏡枠１にレンズ６０を取り付ける必要がある。
本考案は、請求項２に記載しているように、前記レンズ枠１０の下面に形成した嵌合溝１１には、該嵌合溝１１に交差する突部１３を間隔をおいて複数個設けると共に、前記嵌合溝１１に嵌挿されるレンズ６０の上端部には切欠き部６１が複数個形成されており、前記レンズ枠１０の突部１３にレンズ６０の切欠き部６１を係合することにより、レンズ６０がレンズ枠１０に結合されるようにしてある。
【００３１】
本考案の実施例では、図７に示されているように、前記レンズ枠１０に設けた突部１３は、レンズ枠１０の嵌合溝１１の左右端部と中央部との３個所に配設している。そして、レンズ６０の切欠き部６１は、上記突部１３、１３、１３に対向する３個所の位置に該切欠き部６１、６１、６１を形成している。（請求項３参照）。
【００３２】
前記レンズ枠１０にレンズ６０を取り付ける場合には、レンズ枠１０の突部１３、１３、１３とレンズ６０の切欠き部６１、６１、６１とは、対応する各突部１３と切欠き部６１とを位置合わせして、レンズ枠１０を下方へ押圧するか、又はレンズ６０を上方へ押圧するかして、両者を係合することにより、レンズ枠１０とレンズ６０が結合される。前記各突部１３と各切欠き部６１とは、係合状態時には簡単に係合解除されないような形状のものを形成する。
一方、レンズ枠１０よりレンズ６０を取り外す場合には、レンズ枠１０を上方へ引上げるか、レンズ６０を下方へ引下げるかして、前記突部１３、１３、１３と切欠き部６１、６１、６１との係合を解除すれば、レンズ枠１０とレンズ６０とが取り外される。
【００３３】
このように、レンズ枠１０とレンズ６０とは、着脱自在に構成してあるので、既述したように、損傷したレンズを新品のレンズに取り替えたり、異種類のレンズと取り替えたりすることができるなどの利点がある。
【００３４】
本考案に係る眼鏡枠１にレンズ６０を結合した眼鏡２の使用方法について、以下に説明する。
この眼鏡２を帽子７０のつば７１に掛止する場合は、図８に示すように、フック体３０のフック部３２を上向きにした状態で、図９に示すように、帽子７０のつば７１に掛止して使用する。すなわち、帽子７０のつば７１の左右側部の任意個所に、前記フック部３２の樹脂弾性を利用して弾性的に簡単に掛止できるし、しかも帽子７０のつば７１の肉厚が厚い場合には該フック部３２を手で拡開して掛止すればよい。また、帽子７０のつば７１の横幅が長い個所にフック部３２を掛止する場合には、フック部３２をフック基部３１に対して外方へ引っ張ってつば７１に掛止することができる。さらに、フック部３２のＵ字状部３６には突起３７、３８が形成されているので、眼鏡を上下動する場合などにおいても、フック体３０が帽子７０のつば７１からズレたり脱落したりするのを防止できる。このように、本考案のフック体３０は、帽子のつばの横幅や厚さ寸法如何にかかわらず、その取付位置や取付角度調整ができ、任意個所に簡単に掛止できるし、取り外しも容易である。
【００３５】
次に、前記フック部３２（つまり眼鏡２）を帽子７０のつば７１から取り外す場合は、フック部３２を外方へ強く引っ張れば、フック部３２のＵ字状部３６が帽子７０のつば７１より外れるので、眼鏡２が帽子７０から簡単に取り外すことができる。
【００３６】
本考案に係る眼鏡枠１に結合されるレンズ６０は、図７〜図９に示されているような形状に限定されるものではなく、例えば、図１０〜図１３に示されるものにも使用できるなど、適宜設計変更できる。
【００３７】
図１０は、顔を被覆する大きさのレンズ６０を用いた眼鏡２を帽子７０のつば７１に掛止した状態の変形例１の斜視図である。この変形例１のレンズ６０は、利用者の目だけでなく鼻、口、あごを含む顔を被覆する大きさとしたものである。この場合も、図１１に示すように、上記レンズ６０を上方へ跳ね上げることができるのは勿論である。
【００３８】
図１２は、レンズ６０を上レンズ６０ａと下レンズ６０ｂの２枚で、伸縮自在のスライド式に構成したものである。すなわち、この変形例２では、上レンズ６０ａをレンズ枠１０に前記実施例１に示すように結合すると共に、下レンズ６０ｂは接続具６５を介して摺動自在に設けてある。この場合の接続具６５は、断面がコ字状溝６６の上側に下レンズ６０ｂの上端部を嵌入して固定するとともに、該断面コ字状溝６６の下側に上レンズ６０ａの下端部を嵌入してあり、下レンズ６０ｂを上動することで、上レンズ６０ａ上方側へ移動し、下レンズ６０ｂを下動することで、図１２に示す如く上レンズ６０ａの下方側へ移動できるようにしてある。そして、前記接続具６５のコ字状溝６６の内壁下面の下端部には外向き突条（図示せず）を突設し、この外向き突条を上レンズ６０ａの内壁面の下端部に形成した係止片（図示せず）に係止して、下レンズ６０ｂがそれ以上、下動しないように規制している。
【００３９】
なお、上記接続具６５の具体的構成は、前述した構成に限定されず種々設計変更できるものである。
【００４０】
図１３は、図１２のレンズ６０を上方へ跳ね上げた状態を示しており、この状態よりレンズ６０を顔面方向へ押すことにより、図１０の如く、レンズ６０で顔面を被覆することができる。
また、図１３の状態で下レンズ６０ｂを顔面の額側へ押すことにより、上下両レンズ６０ａ、６０ｂが重合した状態となって、レンズ６０が目のみを被覆して、図９に示すような使用状態にすることができる。
【００４１】
なお、レンズ６０は、前記実施例で説明したもののほか、その形状や具体的構成は本考案では限定されず適宜設計変更できる。
また、レンズ６０とレンズ枠１０との結合方式については、本実施例のものに限定されず、レンズ枠１０の突部１３と、レンズ６０の切欠き部６１とは、少なくとも２個、又は４個以上であってもよい。
さらに、本考案の眼鏡は、普通の眼鏡を使用している場合でも、その普通の眼鏡の上から使用できる。
なお、本実施例で使用される帽子は、図９〜図１３で使用されているキャップ式の帽子に限らず、ハット式の帽子にも採用される。
【符号の説明】
【００４２】
１    眼鏡枠
２    眼鏡
１０  レンズ枠
１１  嵌合溝
１２  立上り片
１３  突部
２０  球関節継手
２１  軸部
２２  球状部
３０  フック体
３１  フック基部
３２  フック部
３３  摺動子
３４  バネ収納室
３５  バネ
３６  Ｕ字状部
３７  突起
３８  突起
６０  レンズ
６１  切欠き部
６５  接続具
７０  帽子
７１  つば
【図１】
0003165745.tif 000003
【図２】
0003165745.tif 000004
【図３】
0003165745.tif 000005
【図４】
0003165745.tif 000006
【図５】
0003165745.tif 000007
【図６】
0003165745.tif 000008
【図７】
0003165745.tif 000009
【図８】
0003165745.tif 000010
【図９】
0003165745.tif 000011
【図１０】
0003165745.tif 000012
【図１１】
0003165745.tif 000013
【図１２】
0003165745.tif 000014
【図１３】
0003165745.tif 000015